(57)【要約】【課題】安定した動作が得られる半導体装置を提供する。【解決手段】実施形態によれば、半導体層は、第１〜第４電極、半導体層、第１延在導電層、第１、第２電極接続部及び絶縁部材を含む。第１〜第４電極は、第１方向に延びる。第２方向において、第１電極は、第２、第３電極の間にある。半導体層から第１〜第３電極への方向は、第３方向に沿う。第１延在導電層は、第１電極と電気的に接続される。第２方向において、第４電極は、第１、第３電極の間にある。第１電極接続部は、第１電極と電気的に接続される。第２電極接続部は、第２、第４電極と電気的に接続される。絶縁部材は、第１絶縁部分を含む。第１絶縁部分は、第３方向において第１電極の一部と、第２電極接続部と、の間にある。【選択図】図１
2020177942.tif 000002
【特許請求の範囲】
【請求項１】
第１方向に沿って延びる第１電極と、
前記第１方向に沿って延びる第２電極と、
前記第１方向に沿って延びる第３電極であって、前記第１方向と交差する第２方向における前記第１電極の位置は、前記第２方向における前記第２電極の位置と、前記第２方向における前記第３電極の位置と、の間にある、前記第３電極と、
半導体層であって、前記半導体層から前記第１電極への方向、前記半導体層から前記第２電極への方向、及び、前記半導体層から前記第３電極への方向は、前記第１方向及び前記第２方向を含む第１平面と交差する第３方向に沿う、前記半導体層と、
前記第１方向に沿って延び前記第１電極と電気的に接続された第１延在導電層であって、前記第１電極は、前記第３方向において、前記半導体層と前記第１延在導電層との間にある、前記第１延在導電層と、
前記第１方向に沿って延びる第４電極であって、前記第１延在導電層から前記第４電極への方向は、前記第２方向に沿い、前記第２方向における前記第４電極の位置は、前記第２方向における前記第１電極の前記位置と、前記第２方向における前記第３電極の前記位置と、の間にある、前記第４電極と、
前記第１電極と電気的に接続された第１電極接続部と、
前記第２電極及び前記第４電極と電気的に接続された第２電極接続部であって、前記第１方向における前記第２電極接続部の位置は、前記第１方向における前記第１電極接続部の位置と、前記第１方向における前記第３電極の位置と、の間にある、前記第２電極接続部と、
第１絶縁部分を含む絶縁部材であって、前記第１絶縁部分は、前記第３方向において前記第１電極の一部と、前記第２電極接続部と、の間にある、前記絶縁部材と、
を備えた半導体装置。
【請求項２】
前記絶縁部材は、第２絶縁部分をさらに含み、
前記第２絶縁部分は、前記第２電極接続部と前記第１延在導電層との間にある、請求項１記載の半導体装置。
【請求項３】
前記絶縁部材は、第３絶縁部分をさらに含み、
前記第３絶縁部分は、前記第２電極接続部と前記第１電極接続部との間にある、請求項１または２に記載の半導体装置。
【請求項４】
第１中間導電層をさらに備え、
前記第１中間導電層の少なくとも一部は、前記第３方向において前記第１電極と前記第１延在導電層との間にあり、
前記第１中間導電層は、第１端部を含み、
前記第２方向における前記第１端部の位置は、前記第２方向における前記第１電極の前記位置と、前記第２方向における前記第３電極の前記位置と、の間にある、請求項１〜３のいずれか１つに記載の半導体装置。
【請求項５】
前記第１絶縁部分の少なくとも一部は、前記第１中間導電層と前記第２電極接続部との間にある、請求項４記載の半導体装置。
【請求項６】
前記第１絶縁部分の少なくとも一部は、前記第１電極と前記第１中間導電層との間にある、請求項４記載の半導体装置。
【請求項７】
前記第２電極と電気的に接続された中間電極をさらに備え、
前記第３方向における前記中間電極の位置は、前記第３方向における前記第１電極の位置と、前記第３方向における前記第１延在導電層の位置と、の間にあり、
前記第２方向における前記中間電極の位置は、前記第２方向における前記第１電極の前記位置と、前記第２方向における前記第３電極の前記位置と、の間にある、請求項１〜４のいずれか１つに記載の半導体装置。
【請求項８】
前記中間電極を前記第４電極と電気的に接続する接続部をさらに備えた、請求項７記載の半導体装置。
【請求項９】
第１方向に沿って延びる第１電極と、
前記第１方向に沿って延びる第２電極と、
前記第１方向に沿って延びる第３電極であって、前記第１方向と交差する第２方向における前記第１電極の位置は、前記第２方向における前記第２電極の位置と、前記第２方向における前記第３電極の位置と、の間にある、前記第３電極と、
半導体層であって、前記半導体層から前記第１電極への方向、前記半導体層から前記第２電極への方向、及び、前記半導体層から前記第３電極への方向は、前記第１方向及び前記第２方向を含む第１平面と交差する第３方向に沿う、前記半導体層と、
前記第１方向に沿って延び前記第１電極と電気的に接続された第１延在導電層であって、前記第１電極は、前記第３方向において、前記半導体層と前記第１延在導電層との間にある、前記第１延在導電層と、
前記第１方向に沿って延び前記第２電極と電気的に接続された第２延在導電層であって、前記第２電極は、前記第３方向において、前記半導体層と前記第２延在導電層との間にある、前記第２延在導電層と、
前記第１方向に沿って延びる第４電極であって、前記第１延在導電層から前記第４電極への方向は、前記第２方向に沿い、前記第２方向における前記第４電極の位置は、前記第２方向における前記第１電極の前記位置と、前記第２方向における前記第３電極の前記位置と、の間にある、前記第４電極と、
前記第１電極と電気的に接続された第１電極接続部と、
前記第２電極及び前記第４電極と電気的に接続された第２電極接続部であって、前記第１方向における前記第１電極接続部の位置は、前記第１方向における前記第２電極接続部の位置と、前記第１方向における前記第３電極の位置と、の間にある、前記第１電極接続部と、
第１絶縁部分を含む絶縁部材であって、前記第１絶縁部分は、前記第３方向において、前記第１電極接続部と、前記第２延在導電層の一部と、の間にある、前記絶縁部材と、
を備えた半導体装置。
【請求項１０】
前記絶縁部材は、第２絶縁部分をさらに含み、
前記第２絶縁部分は、前記第１電極接続部と、前記第４電極の一部と、の間にある、請求項９記載の半導体装置。
【請求項１１】
前記絶縁部材は、第３絶縁部分をさらに含み、
前記第３絶縁部分は、前記第１方向において、前記第２電極接続部と前記第１延在導電層との間にあり、
前記第１電極接続部は、前記第３方向において、前記半導体層と前記第３絶縁部分との間にある、請求項９または１０に記載の半導体装置。
【請求項１２】
第１中間導電層をさらに備え、
前記第１中間導電層の少なくとも一部は、前記第３方向において前記第１電極と前記第１延在導電層との間にあり、
前記第１中間導電層は、第１端部を含み、
前記第２方向における前記第１端部の位置は、前記第２方向における前記第１電極の前記位置と、前記第２方向における前記第３電極の前記位置と、の間にある、請求項９〜１１のいずれか１つに記載の半導体装置。
【請求項１３】
前記第１電極接続部は、第１接続導電層を含み、
前記第１接続導電層から前記第１中間導電層への方向は、前記第１平面に沿う、請求項１２記載の半導体装置。
【請求項１４】
前記第１電極接続部は、第２接続導電層をさらに含み、
前記第２接続導電層は、前記半導体層と前記第１接続導電層との間にある、請求項１３記載の半導体装置。
【請求項１５】
前記第２接続導電層から前記第２電極への方向は、前記第１平面に沿う、請求項１４記載の半導体装置。
【請求項１６】
前記絶縁部材の一部は、前記第３方向において、前記半導体層と前記第１接続導電層との間にある、請求項１３〜１５のいずれか１つに記載の半導体装置。
【請求項１７】
前記第２電極と電気的に接続された中間電極をさらに備え、
前記第３方向における前記中間電極の位置は、前記第３方向における前記第１電極の位置と、前記第３方向における前記第１延在導電層の位置と、の間にあり、
前記第２方向における前記中間電極の位置は、前記第２方向における前記第１電極の前記位置と、前記第２方向における前記第３電極の前記位置と、の間にある、請求項９〜１５のいずれか１つに記載の半導体装置。
【請求項１８】
第１方向に沿って延びる第１電極と、
前記第１方向に沿って延びる第２電極と、
前記第１方向に沿って延びる第３電極であって、前記第１方向と交差する第２方向における前記第１電極の位置は、前記第２方向における前記第２電極の位置と、前記第２方向における前記第３電極の位置と、の間にある、前記第３電極と、
前記第１方向に沿って延びる第４電極であって、前記第２方向における前記第４電極の位置は、前記第２方向における前記第１電極の前記位置と、前記第２方向における前記第３電極の前記位置と、の間にある、前記第４電極と、
半導体層であって、前記半導体層から前記第１電極への方向、前記半導体層から前記第２電極への方向、前記半導体層から前記第３電極への方向、及び、前記半導体層から前記第４電極への方向は、前記第１方向及び前記第２方向を含む第１平面と交差する第３方向に沿う、前記半導体層と、
第１パッド部であって、前記第１電極の第１電極部分、前記第２電極の第２電極部分、前記第３電極の第３電極部分及び前記第４電極の第４電極部分は、前記半導体層と前記第１パッド部との間にある、前記第１パッド部と、
前記第１パッド部と前記第２電極との間に設けられ、前記第１パッド部を前記第２電極と電気的に接続する第１接続部材と、
前記第１パッド部と前記第４電極との間に設けられ、前記第１パッド部を前記第４電極と電気的に接続する第２接続部材と、
を備えた、半導体装置。
【請求項１９】
第２パッド部と、
第３接続部材と、
をさらに備え、
前記第１電極の第５電極部分、前記第２電極の第６電極部分、前記第３電極の第７電極部分及び前記第４電極の第８電極部分は、前記半導体層と前記第２パッド部との間にあり、
前記第３接続部材は、前記第２パッド部と前記第１電極との間に設けられ、前記第２パッド部を前記第１電極と電気的に接続する、請求項１８記載の半導体装置。
【請求項２０】
第３パッド部と、
第４接続部材と、
をさらに備え、
前記第１電極の第９電極部分、前記第２電極の第１０電極部分、前記第３電極の第１１電極部分及び前記第４電極の第１２極部分は、前記半導体層と前記第３パッド部との間にあり、
前記第４接続部材は、前記第３パッド部と前記第３電極との間に設けられ、前記第３パッド部を前記第３電極と電気的に接続する、請求項１８または１９に記載の半導体装置。
【発明の詳細な説明】
【技術分野】
【０００１】
本発明の実施形態は、半導体装置に関する。
【背景技術】
【０００２】
半導体装置において、安定した動作が望まれる。
【先行技術文献】
【特許文献】
【０００３】
【特許文献１】特開２０１５−１７７０１６号公報
【発明の概要】
【発明が解決しようとする課題】
【０００４】
本発明の実施形態は、安定した動作が得られる半導体装置を提供する。
【課題を解決するための手段】
【０００５】
本発明の実施形態によれば、半導体層は、第１電極、第２電極、第３電極、第４電極、半導体層、第１延在導電層、第１電極接続部、第２電極接続部及び絶縁部材を含む。前記第１〜第４電極は、第１方向に沿って延びる。前記第１方向と交差する第２方向における前記第１電極の位置は、前記第２方向における前記第２電極の位置と、前記第２方向における前記第３電極の位置と、の間にある。前記半導体層から前記第１電極への方向、前記半導体層から前記第２電極への方向、及び、前記半導体層から前記第３電極への方向は、前記第１方向及び前記第２方向を含む第１平面と交差する第３方向に沿う。第１延在導電層は、前記第１方向に沿って延び前記第１電極と電気的に接続される。前記第１電極は、前記第３方向において、前記半導体層と前記第１延在導電層との間にある。前記第１延在導電層から前記第４電極への方向は、前記第２方向に沿う。前記第２方向における前記第４電極の位置は、前記第２方向における前記第１電極の前記位置と、前記第２方向における前記第３電極の前記位置と、の間にある。前記第１電極接続部は、前記第１電極と電気的に接続される。前記第２電極接続部は、前記第２電極及び前記第４電極と電気的に接続される。前記第１方向における前記第２電極接続部の位置は、前記第１方向における前記第１電極接続部の位置と、前記第１方向における前記第３電極の位置と、の間にある。前記絶縁部材は、第１絶縁部分を含む。前記第１絶縁部分は、前記第３方向において前記第１電極の一部と、前記第２電極接続部と、の間にある。
【図面の簡単な説明】
【０００６】
【図１】図１（ａ）〜図１（ｃ）は、第１実施形態に係る半導体装置を例示する模式図である。
【図２】図２（ａ）〜図２（ｃ）は、第１実施形態に係る半導体装置を例示する模式図である。
【図３】図３（ａ）及び図３（ｂ）は、第１実施形態に係る半導体装置を例示する模式的断面図である。
【図４】図４は、第１実施形態に係る半導体装置を例示する模式的断面図である。
【図５】図５は、第１実施形態に係る半導体装置を例示する模式的断面図である。
【図６】図６（ａ）〜図６（ｃ）は、第２実施形態に係る半導体装置を例示する模式図である。
【図７】図７（ａ）〜図７（ｃ）は、第２実施形態に係る半導体装置を例示する模式図である。
【図８】図８（ａ）〜図８（ｃ）は、第２実施形態に係る半導体装置を例示する模式的断面図である。
【図９】図９（ａ）〜図９（ｃ）は、第２実施形態に係る半導体装置を例示する模式的断面図である。
【図１０】図１０は、実施形態に係る半導体装置を例示する模式的断面図である。
【図１１】図１１は、実施形態に係る半導体装置を例示する模式的断面図である。
【図１２】図１２（ａ）及び図１２（ｂ）は、第３実施形態に係る半導体装置を例示する模式的平面図である。
【図１３】図１３は、第３実施形態に係る半導体装置を例示する模式的断面図である。
【図１４】図１４は、第３実施形態に係る半導体装置を例示する模式的断面図である。
【図１５】図１５は、第３実施形態に係る半導体装置を例示する模式的断面図である。
【図１６】図１６は、第３実施形態に係る半導体装置を例示する模式的断面図である。
【図１７】図１７は、第３実施形態に係る半導体装置を例示する模式的断面図である。
【図１８】図１８は、第３実施形態に係る半導体装置を例示する模式的断面図である。
【図１９】図１９は、第３実施形態に係る半導体装置を例示する模式的断面図である。
【図２０】図２０は、第３実施形態に係る半導体装置を例示する模式的断面図である。
【発明を実施するための形態】
【０００７】
以下に、本発明の各実施の形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００８】
（第１実施形態）  
図１（ａ）〜図１（ｃ）、及び、図２（ａ）〜図２（ｃ）は、第１実施形態に係る半導体装置を例示する模式図である。  
図１（ａ）は、図１（ｂ）の矢印ＡＡからみた平面図である。図１（ｂ）は、図１（ａ）のＡ１−Ａ２線断面図である。図１（ｃ）は、図１（ａ）のＢ１−Ｂ２線断面図である。図２（ａ）は、図１（ａ）のＣ１−Ｃ２線断面図である。図２（ｂ）は、図１（ａ）のＤ１−Ｄ２線断面図である。図２（ｃ）は、図１（ａ）のＥ１−Ｅ２線断面図である。
【０００９】
図１（ａ）及び図１（ｂ）に示すように、実施形態に係る半導体装置１１０は、半導体層１０、第１電極５１、第２電極５２、第３電極５３、第４電極５４、第１延在導電層５１Ｅ、第１電極接続部５１Ｃ、第２電極接続部５２Ｃ及び絶縁部材８０を含む。
【００１０】
この例では、半導体層１０は、基板１５（例えばシリコン基板）の上に設けられる。半導体層１０は、例えば、第１半導体領域１１及び第２半導体領域１２を含む。第１半導体領域１１は、基板１５と第２半導体領域１２との間にある。第１半導体領域１１は、例えば、Ａｌｘ１Ｇａ１−ｘ１Ｎ（０≦ｘ１＜１）を含む。第１半導体領域１１は、例えばＧａＮを含む。第２半導体領域１２は、例えば、Ａｌｘ２Ｇａ１−ｘ２Ｎ（０＜ｘ２≦１、ｘ１＜ｘ２））を含む。第２半導体領域１２は、例えばＡｌＧａＮを含む。実施形態において、第１半導体領域１１と基板１５との間にバッファ層など（図１（ｂ）などでは図示しない）が設けられても良い。第１半導体領域１１と第２半導体領域１２との間にＡｌＮ層（図１（ｂ）などでは図示しない）が設けられても良い。
【００１１】
図１（ａ）に示すように、半導体層１０は、第１領域１０Ａ、第２領域１０Ｂ及び第３領域１０Ｃを含んでも良い。第１領域１０Ａは、例えば、アクティブ領域である。第２領域１０Ｂは、１つの接続領域である。第３領域１０Ｃは、別の接続領域である。第１方向Ｄ１において、第２領域１０Ｂと第３領域１０Ｃとの間に第１領域１０Ａがある。第２領域１０Ｂは、例えば、１つの素子分離領域に対応する。第３領域１０Ｃは、例えば、１つの素子分離領域に対応する。
【００１２】
第１電極５１、第２電極５２、第３電極５３及び第４電極５４は、第１方向Ｄ１に沿って延びる。第１電極５１、第２電極５２、第３電極５３及び第４電極５４は、互いに実質的に平行である。
【００１３】
第１方向Ｄ１をＹ軸方向とする。Ｙ軸方向に対して垂直な１つの方向をＸ軸方向とする。Ｙ軸方向及びＸ軸方向に対して垂直な方向をＺ軸方向とする。
【００１４】
第２方向Ｄ２は、第１方向Ｄ１と交差する。以下では、第２方向Ｄ２をＸ軸方向とする。
【００１５】
図１（ａ）及び図１（ｂ）に示すように、第２方向Ｄ２における第１電極５１の位置は、第２方向Ｄ２における第２電極５２の位置と、第２方向Ｄ２における第３電極５３の位置と、の間にある。
【００１６】
この例では、複数の第１電極５１、複数の第２電極５２、及び、複数の第３電極５３が設けられる。図１（ａ）に示すように、例えば、複数の第１電極５１の１つの第２方向Ｄ２における位置は、複数の第２電極５２の１つの第２方向Ｄ２における位置と、複数の第３電極５３の１つの第２方向Ｄ２における位置と、の間にある。
【００１７】
図１（ｂ）に示すように、半導体層１０から第１電極５１への方向、半導体層１０から第２電極５２への方向、及び、半導体層１０から第３電極５３への方向は、第３方向Ｄ３に沿う。第３方向Ｄ３は、第１方向Ｄ１及び第２方向Ｄ２を含む第１平面（例えば、Ｘ−Ｙ平面）と交差する。以下では、第３方向Ｄ３をＺ軸方向とする。
【００１８】
図１（ｂ）及び図２（ａ）に示すように、第１延在導電層５１Ｅは、第１方向Ｄ１に沿って延びる。第１延在導電層５１Ｅは、第１電極５１と電気的に接続される。第１電極５１は、第３方向Ｄ３において、半導体層１０と第１延在導電層５１Ｅとの間にある。
【００１９】
図１（ｂ）及び図２（ｂ）に示すように、この例では、第１中間導電層５１Ｍが設けられる。第１中間導電層５１Ｍにより、第１延在導電層５１Ｅは、第１電極５１と電気的に接続される。この例では、接続導電部５１Ｅｖにより、第１延在導電層５１Ｅが第１中間導電層５１Ｍと電気的に接続される。この例では、接続導電部５１Ｍｖにより、第１中間導電層５１Ｍが第１電極５１と電気的に接続される。第１電極５１、接続導電部５１Ｍｖ、第１中間導電層５１Ｍ、接続導電部５１Ｅｖ及び第１延在導電層５１Ｅのそれぞれの間の境界は明確でも、不明確でも良い。これらの部分の少なくとも一部が、実質的に一体的でも良い。
【００２０】
図１（ｂ）に示すように、第１延在導電層５１Ｅから第４電極５４への方向は、第２方向Ｄ２に沿う。第２方向Ｄ２における第４電極５４の位置は、第２方向Ｄ２における第１電極５１の位置と、第２方向Ｄ２における第３電極５３の前記位置と、の間にある。
【００２１】
図１（ａ）及び図２（ａ）に示すように、第１電極接続部５１Ｃは、第１電極５１と電気的に接続される。例えば、第１電極接続部５１Ｃは、第１電極５１の端部５１ｅと電気的に接続される。
【００２２】
図１（ａ）及び図２（ｂ）に示すように、第２電極接続部５２Ｃは、第２電極５２及び第４電極５４と電気的に接続される。例えば、第２電極接続部５２Ｃは、第２電極５２の端部５２ｅ、及び、第４電極５４の端部５４ｅと電気的に接続される。
【００２３】
図１（ａ）に示すように、第１方向Ｄ１における第２電極接続部５２Ｃの位置は、第１方向Ｄ１における第１電極接続部５１Ｃの位置と、第１方向Ｄ１における第３電極５３の位置と、の間にある。
【００２４】
図１（ａ）に示すように、この例では、第３電極接続部５３Ｃがさらに設けられている。第３電極接続部５３Ｃは、第３電極５３の端部５３ｅと電気的に接続される。
【００２５】
第２電極接続部５２Ｃの第１方向Ｄ１における位置は、第１電極接続部５１Ｃの第１方向Ｄ１における位置と、第３電極接続部５３Ｃの第１方向Ｄ１における位置と、の間にある。
【００２６】
第１電極接続部５１Ｃ及び第２電極接続部５２Ｃは、第２領域１０Ｂに設けられる。第３電極接続部５３Ｃは、第３領域１０Ｃに設けられる。
【００２７】
例えば、第１電極接続部５１Ｃは、複数の第１電極５１を電気的に接続する。例えば、第２電極接続部５２Ｃは、複数の第２電極５２を電気的に接続する。例えば、第３電極接続部５３Ｃは、複数の第３電極５３を電気的に接続する。例えば、第１電極接続部５１Ｃ、第２電極接続部５２Ｃ、及び、第３電極接続部５３Ｃは、第２方向Ｄ２に沿って延びる。
【００２８】
図１（ｃ）及び図２（ａ）に示すように、絶縁部材８０は、第１絶縁部分８０ａを含む。半導体装置１１０においては、第１絶縁部分８０ａは、第３方向Ｄ３において、第１電極５１の一部５１ｐと、第２電極接続部５２Ｃと、の間にある。これにより、第１電極５１と第２電極接続部５２Ｃとは、互いに電気的に絶縁される。
【００２９】
第１電極５１は、例えば、ゲート電極として、機能する。第２電極５２は、例えば、ソース電極として、機能する。第３電極５３は、例えば、ドレイン電極として、機能する。半導体装置１１０は、例えば、トランジスタである。第４電極５４は、例えば、フィールドプレートとして機能する。フィールドプレートにより、電界の集中が抑制でき、より安定した動作が得られる。
【００３０】
半導体装置１１０においては、第１電極５１と電気的に接続される第１延在導電層５１Ｅが設けられる。これにより、第１電極５１（例えばゲート電極）の抵抗を低くできる。これにより、ゲート遅延が抑制できる。安定した動作が得やすくなる。
【００３１】
さらに、上記のように、絶縁部材８０の第１絶縁部分８０ａにより、下層の第１電極５１と、上層の第２電極接続部５２Ｃと、が互いに電気的に絶縁される。これにより、第４電極５４を第２電極５２と電気的に接続する領域（例えば、第２領域１０Ｂ）の面積を小さくできる。実施形態においては、装置のサイズを小さく維持できる。例えば、ソースドレイン間の寄生容量を小さくできる。そして、第４電極５４をフィールドプレートとして機能させ、電界集中を抑制できる。第１延在導電層５１Ｅにより、ゲート抵抗を低くできる。これにより、ゲート遅延が抑制できる。安定した動作が得られる。実施形態によれば、安定した動作が得られる半導体装置を提供できる。
【００３２】
図２（ａ）に示すように、絶縁部材８０は、第２絶縁部分８０ｂをさらに含んでも良い。第２絶縁部分８０ｂは、第２電極接続部５２Ｃと第１延在導電層５１Ｅとの間にある。
【００３３】
図２（ａ）に示すように、絶縁部材８０は、第３絶縁部分８０ｃをさらに含んでも良い。第３絶縁部分８０ｃは、第２電極接続部５２Ｃと第１電極接続部５１Ｃとの間にある。
【００３４】
図１（ｂ）に示すように、絶縁部材８０は、第４絶縁部分８０ｄをさらに含んでも良い。第４絶縁部分８０ｄは、半導体層１０と第４電極５４との間にある。
【００３５】
図１（ｂ）に示すように、絶縁部材８０は、第５絶縁部分８０ｅをさらに含んでも良い。第４絶縁部分８０ｅは、第１延在導電層５１Ｅと第４電極５４との間にある。
【００３６】
図１（ｂ）に示すように、この例では、第１中間導電層５１Ｍの一部は、第３電極５３側に向けて延びている。第１中間導電層５１Ｍの少なくとも一部は、第３方向Ｄ３において第１電極５１と第１延在導電層５１Ｅとの間にある。第１中間導電層５１Ｍは、第１端部５１Ｍａを含む。第１中間導電層５１Ｍは、第２端部５１Ｍｂを含んでも良い。第２端部５１Ｍｂから第１端部５１Ｍａへの方向は、第２方向Ｄ２に沿う。第２方向Ｄ２における第１端部５１Ｍａの位置は、第２方向Ｄ２における第１電極５１の位置と、第２方向Ｄ２における第３電極５３の位置と、の間にある。この例では、第２方向Ｄ２における第４電極５４の位置は、第２方向における第１端部５１Ｍａの位置と、第２方向Ｄ２における第３電極５３の位置と、の間にある。第４電極５４の少なくとも一部は、第３方向Ｄ３において、第１中間導電層５１Ｍと重なっていても良い。例えば、第４電極５４は、第３方向Ｄ３において、第１端部５１Ｍａと重なっていても良い。
【００３７】
このような突出した第１端部５１Ｍａを含む第１中間導電層５１Ｍは、例えば、フィールドプレートとして機能する。電界の集中が抑制でき、より安定した動作が得られる。
【００３８】
図１（ｂ）及び図２（ｂ）に示すように、第２延在導電層５２Ｅ及び第２中間導電層５２Ｍが設けられても良い。第２中間導電層５２Ｍは、第３方向Ｄ３において、第２電極５２と第２延在導電層５２Ｅとの間にある。第２電極５２、第２中間導電層５２Ｍ及び第２延在導電層５２Ｅは、互いに電気的に接続される。
【００３９】
図１（ｂ）に示すように、第３延在導電層５３Ｅ及び第３中間導電層５３Ｍが設けられても良い。第３中間導電層５３Ｍは、第３方向Ｄ３において、第３電極５３と第３延在導電層５３Ｅとの間にある。第３電極５３、第３中間導電層５３Ｍ及び第３延在導電層５３Ｅは、互いに電気的に接続される。
【００４０】
図１（ｂ）に示すように、半導体装置１１０は、例えば、第１導電層５０ａ、第２導電層５０ｂ、第３導電層５０ｃ及び第４導電層５０ｄを含む。例えば、第３方向Ｄ３における第１導電層５０ａの位置は、第３方向Ｄ３における半導体層１０の位置と、第３方向Ｄ３における第４導電層５０ｄの位置と、の間にある。第３方向Ｄ３における第２導電層５０ｂの位置は、第３方向Ｄ３における第１導電層５０ａの位置と、第３方向Ｄ３における第４導電層５０ｄの位置と、の間にある。第３方向Ｄ３における第３導電層５０ｃの位置は、第３方向Ｄ３における第２導電層５０ｂの位置と、第３方向Ｄ３における第４導電層５０ｄの位置と、の間にある。
【００４１】
例えば、第１導電層５０ａにより、第２電極５２及び第３電極５３が形成される。第２導電層５０ｂにより、第１電極５１が形成される。第３導電層５０ｃにより、第１中間導電層５１Ｍ、第２中間導電層５２Ｍ及び第３中間導電層５３Ｍが形成される。第４導電層５０ｄにより、第４電極５４、第１延在導電層５１Ｅ、第２延在導電層５２Ｅ及び第３延在導電層５３Ｅが形成される。
【００４２】
第１導電層５０ａ及び第３導電層５０ｃは、一体的に形成されても良い。第２電極５２及び第２中間導電層５２Ｍは、一体的に形成されても良い。第１導電層５０ａ及び第３導電層５０ｃは、シームレスで繋がっても良い。第２電極５２及び第２中間導電層５２Ｍは、シームレスで繋がっても良い。
【００４３】
図２（ｂ）及び図２（ｃ）に示すように、この例では、第１電極接続部５１Ｃは、第２導電層５０ｂの一部、第３導電層５０ｃの一部、及び、第４導電層５０ｄの一部を含む。
【００４４】
図１（ｂ）に示すように、絶縁部材８０は、第１絶縁層８１、第２絶縁層８２及び第３絶縁層８３を含む。これらの絶縁層の間の境界は明確でも、不明確でも良い。例えば、第３方向Ｄ３における第１絶縁層８１の位置は、第３方向Ｄ３における半導体層１０の位置と、第３方向Ｄ３における第３絶縁層８３の位置と、の間にある。例えば、第３方向Ｄ３における第２絶縁層８２の位置は、第３方向Ｄ３における第１絶縁層８１の位置と、第３方向Ｄ３における第３絶縁層８３の位置と、の間にある。
【００４５】
図１（ｃ）に示すように、この例では、絶縁部材８０の第１絶縁部分８０ａは、第２絶縁層８２の一部に対応する。
【００４６】
図２（ａ）に示すように、第２絶縁部分８０ｂ及び第３絶縁部分８０ｃは、第３絶縁層８３の一部に対応する。
【００４７】
図１（ｂ）に示すように、この例では、第４絶縁部分８０ｄは、第１絶縁層８１の一部及び第２絶縁層８２の一部に対応する。
【００４８】
図１（ｂ）に示すように、第５絶縁部分８０ｅは、第３絶縁層８３の一部に対応する。
【００４９】
図１（ｂ）に示すように、この例では、半導体装置１１０は、絶縁膜８５を含む。絶縁膜８５は、半導体層１０と第１電極５１との間に設けられる。絶縁膜８５は、例えば、ゲート絶縁膜として機能する。
【００５０】
以下、実施形態に係る半導体装置のいくつかの例について説明する。以下においては、上記の半導体装置１１０と異なる部分について説明する。
【００５１】
図３（ａ）及び図３（ｂ）は、第１実施形態に係る半導体装置を例示する模式的断面図である。  
これらの図は、図１（ａ）のＡ１−Ａ２線断面に対応する断面図である。
【００５２】
図３（ａ）に示すように、実施形態に係る半導体装置１１０ａは、中間電極５１Ｎを含む。中間電極５１Ｎは、第２電極５２と電気的に接続される。電気的な接続は、例えば、第２電極接続部５２Ｃ（図３（ａ）の破線）により行われる。
【００５３】
第３方向Ｄ３における中間電極５１Ｎの位置は、第３方向Ｄ３における第１電極５１の位置と、第３方向Ｄ３における第１延在導電層５１Ｅの位置と、の間にある。例えば、中間電極５１Ｎは、第３導電層５０ｃにより形成される。例えば、中間電極５１Ｎは、第１方向Ｄ１に沿って延びる。
【００５４】
第２方向Ｄ２における中間電極５１Ｎの位置は、第２方向Ｄ２における第１電極５１の位置と、第２方向Ｄ２における第３電極５３の位置と、の間にある。
【００５５】
中間電極５１Ｎは、例えば、フィールドプレートとして機能する。半導体装置１１０ａにおいては、例えば、２つのフィールドプレート（中間電極５１Ｎ及び第４電極５４）が設けられる。これにより、電界の集中がより抑制できる。例えば、ゲート-ドレイン間の容量を小さくできる。より安定した動作が得られる。
【００５６】
図３（ａ）に示すように、絶縁部材８０は、第６絶縁部分８０ｆを含んでも良い。第６絶縁部分８０ｆは、第１中間導電層５１Ｍと中間電極５１Ｎとの間に設けられる。第６絶縁部分８０ｆは、例えば、第１絶縁層８２の一部である。
【００５７】
図３（ｂ）に示すように、実施形態に係る半導体装置１１０ｂにおいても、中間電極５１Ｎが設けられる。半導体装置１１０ｂにおいては、接続部５４ｖが設けられる。接続部５４ｖは、中間電極５１Ｎを第４電極５４と電気的に接続する。例えば、第４電極５４は、第２電極接続部５２Ｃ（図３（ｂ）の破線）により、第２電極５２に電気的に接続される。中間電極５１Ｎが、第２電極接続部５２Ｃにより、第２電極５２に電気的に接続されても良い。これにより、ソース抵抗を小さくできる。
【００５８】
図４及び図５は、第１実施形態に係る半導体装置を例示する模式的断面図である。  
これらの図は、図１（ａ）のＡ１−Ａ２線断面に対応する断面図である。
【００５９】
図４に示すように、実施形態に係る半導体装置１１１においては、絶縁部材８０の第１絶縁部分８０ａの少なくとも一部は、第１中間導電層５１Ｍ（または第３導電層５０ｃ）と、第２電極接続部５２Ｃと、の間にある。第１中間導電層５１Ｍ（または第３導電層５０ｃ）により、第１電極５１は、第１電極接続部５１Ｃに電気的に接続される。
【００６０】
図５に示すように、実施形態に係る半導体装置１１２においては、絶縁部材８０の第１絶縁部分８０ａの少なくとも一部は、第１電極５１と、第１中間導電層５１Ｍ（または第３導電層５０ｃ）と、の間にある。
【００６１】
半導体装置１１１及び１１２においても、電気的な接続領域（例えば、第２領域１０Ｂ）の面積を小さくでき、装置のサイズを小さく維持できる。フィールドプレートにより、電界の集中を抑制できる。例えば、ソースドレイン間の寄生容量を小さくできる。第１延在導電層５１Ｅにより、ゲート抵抗を低くできる。実施形態によれば、安定した動作が得られる半導体装置を提供できる。
【００６２】
（第２実施形態）  
図６（ａ）〜図６（ｃ）、及び、図７（ａ）〜図７（ｃ）は、第２実施形態に係る半導体装置を例示する模式図である。  
図６（ａ）は、図６（ｂ）の矢印ＡＡからみた平面図である。図６（ｂ）は、図６（ａ）のＡ１−Ａ２線断面図である。図６（ｃ）は、図６（ａ）のＢ１−Ｂ２線断面図である。図７（ａ）は、図６（ａ）のＣ１−Ｃ２線断面図である。図７（ｂ）は、図６（ａ）のＤ１−Ｄ２線断面図である。図７（ｃ）は、図６（ａ）のＥ１−Ｅ２線断面図である。
【００６３】
図６（ａ）及び図６（ｂ）に示すように、実施形態に係る半導体装置１２０も、半導体層１０、第１電極５１、第２電極５２、第３電極５３、第４電極５４、第１延在導電層５１Ｅ、第２延在導電層５２Ｅ、第１電極接続部５１Ｃ、第２電極接続部５２Ｃ及び絶縁部材８０を含む。
【００６４】
第１〜第４電極５１〜５４は、第１方向Ｄ１（例えばＹ軸方向）に沿って延びる。
【００６５】
第２方向Ｄ２は、第１方向Ｄ１と交差する。第２方向Ｄ２は、例えば、Ｘ軸方向である。第３方向Ｄ３は、第１方向Ｄ１及び第２方向Ｄ２を含む第１平面（Ｘ−Ｙ平面）と交差する。第３方向Ｄ３は、例えば、Ｚ軸方向である。
【００６６】
第２方向Ｄ２における第１電極５１の位置は、第２方向Ｄ２における第２電極５２の位置と、第２方向Ｄ２における第３電極５３の位置と、の間にある。
【００６７】
図６（ｂ）に示すように、半導体層１０から第１電極５１への方向、半導体層１０から第２電極５２への方向、及び、半導体層１０から第３電極５３への方向は、第３方向Ｄ３に沿う。
【００６８】
第１延在導電層５１Ｅは、第１方向Ｄ１に沿って延び、第１電極５１と電気的に接続される。第１電極５１は、第３方向Ｄ３において、半導体層１０と第１延在導電層５１Ｅとの間にある。
【００６９】
第１延在導電層５１Ｅから第４電極５４への方向は、第２方向Ｄ２に沿う。第２方向Ｄ２における第４電極５４の位置は、第２方向Ｄ２における第１電極５１の位置と、第２方向Ｄ２における第３電極５３の位置と、の間にある。
【００７０】
第２延在導電層５２Ｅは、第１方向Ｄ１に沿って延び、第２電極５２と電気的に接続される。第２電極５２は、第３方向Ｄ３において、半導体層１０と第２延在導電層５２Ｅとの間にある。
【００７１】
第１電極接続部５１Ｃは、第１電極５１と電気的に接続される（図７（ａ）参照）。第２電極接続部５２Ｃは、第２電極５２及び第４電極５４と電気的に接続される（図７（ｂ）及び図７（ｃ）参照）。
【００７２】
図６（ａ）に示すように、第１方向Ｄ１における第１電極接続部５１Ｃの位置は、第１方向Ｄ１における第２電極接続部５２Ｃの位置と、第１方向Ｄ１における第３電極５３の位置と、の間にある。第１電極接続部５１Ｃ及び第２電極接続部５２Ｃは、例えば、第２領域１０Ｂに設けられる（図６（ａ）参照）。
【００７３】
このように、半導体装置１２０においては、第１電極接続部５１Ｃ及び第２電極接続部５２Ｃの第１方向Ｄ１における位置関係が、半導体装置１１０におけるそれとは異なる。
【００７４】
図７（ｂ）に示すように、半導体装置１２０において、絶縁部材８０は、第１絶縁部分８０ａを含む。図６（ｃ）及び図７（ｂ）に示すように、第１絶縁部分８０ａは、第３方向Ｄ３において、第１電極接続部５１Ｃと、第２延在導電層５２Ｅの一部５２Ｅｐと、の間にある。第１絶縁部分８０ａは、例えば、第２絶縁層８２の一部である。
【００７５】
半導体装置１２０においては、絶縁部材８０の第１絶縁部分８０ａにより、下層の第１電極接続部５１Ｃと、上層の第２延在導電層５２Ｅと、が互いに電気的に絶縁される。これにより、例えば、電気的な接続領域（例えば、第２領域１０Ｂ）の面積を小さくでき、装置のサイズを小さく維持できる。第５電極５４によるフィールドプレートにより、電界の集中を抑制できる。例えば、ソースドレイン間の寄生容量を小さくできる。第１延在導電層５１Ｅにより、ゲート抵抗を低くできる。実施形態によれば、安定した動作が得られる半導体装置を提供できる。
【００７６】
図７（ｃ）に示すように、絶縁部材８０は、第２絶縁部分８０ｂをさらに含んでも良い。第２絶縁部分８０ｂは、第１電極接続部５１Ｃと、第４電極５４の一部５４ｐと、の間にある。第２絶縁部分８０ｂは、例えば、第２絶縁層８２の一部である。
【００７７】
図７（ａ）に示すように、絶縁部材８０は、第３絶縁部分８０ｃをさらに含んでも良い。第３絶縁部分８０ｃは、第１方向Ｄ１において、第２電極接続部５２Ｃと第１延在導電層５１Ｅとの間にある。第１電極接続部５１Ｃは、第３方向Ｄ３において、半導体層１０と第３絶縁部分８０ｃとの間にある。第３絶縁部分８０ｃは、例えば、第３絶縁層８３の一部である。
【００７８】
図６（ｂ）に示すように、絶縁部材８０は、第４絶縁部分８０ｄをさらに含んでも良い。第４絶縁部分８０ｄは、半導体層１０と第４電極５３との間にある。第４絶縁部分８０ｄは、第２絶縁層８２の一部である。
【００７９】
図６（ｂ）に示すように、絶縁部材８０は、第５絶縁部分８０ｅをさらに含んでも良い。第５絶縁部分８０ｅは、第１延在導電層５１Ｅと第４電極５４との間にある。第５絶縁部分８０ｅは、第３絶縁層８３の一部である。
【００８０】
図６（ｂ）に示すように、半導体装置１２０は、第１中間導電層５１Ｍをさらに含んでも良い。第１中間導電層５１Ｍの少なくとも一部は、第３方向Ｄ３において第１電極５１と第１延在導電層５１Ｅとの間にある。第１中間導電層５１Ｍは、第１端部５１Ｍａを含む。第２方向Ｄ２における第１端部５１Ｍａの位置は、第２方向Ｄ２における第１電極５１の位置と、第２方向Ｄ２における第３電極５３の位置と、の間にある。第１中間導電層５１Ｍが、第３電極５３の側に突出している。第１中間導電層５１Ｍは、フィールドプレートとして機能する。これにより、電界集中がより抑制できる。より安定した動作が得られる。
【００８１】
図７（ｂ）に示すように、半導体装置１２０において、第１電極接続部５１Ｃは、第２導電層５０ｂにより形成される。実施形態において、第１電極接続部５１Ｃは、第１導電層５０ａにより形成されても良い。
【００８２】
図８（ａ）〜図８（ｃ）は、第２実施形態に係る半導体装置を例示する模式的断面図である。  
図８（ａ）は、図６（ａ）のＢ１−Ｂ２線断面に対応する断面図である。図８（ｂ）は、図６（ａ）のＤ１−Ｄ２線断面に対応する断面図である。図８（ｃ）は、図６（ａ）のＥ１−Ｅ２線断面に対応する断面図である。
【００８３】
図８（ａ）〜図８（ｃ）に示すように、この例においては、第１電極接続部５１Ｃは、第１接続導電層５１Ｃａ及び第２接続導電層５１Ｃｂを含む。図８（ａ）に示すように、第１接続導電層５１Ｃａから第１中間導電層５１Ｍへの方向は、上記の第１平面（Ｘ−Ｙ平面）に沿う。図８（ｂ）に示すように、第１接続導電層５１Ｃａから第２中間導電層５２Ｍへの方向は、上記の第１平面（Ｘ−Ｙ平面）に沿う。第１接続導電層５１Ｃａ、第１中間導電層５１Ｍ及び第２中間導電層５２Ｍは、例えば、第３導電層５０ｃの少なくとも一部である。
【００８４】
図８（ａ）及び図８（ｂ）に示すように、第２接続導電層５１Ｃｂは、半導体層１０と第１接続導電層５１Ｃａとの間にある。例えば、図８（ｂ）に示すように、第２接続導電層５１Ｃｂから第２電極５２への方向は、第１平面（Ｘ−Ｙ平面）に沿う。第２接続導電層５１Ｃｂから第１電極５１への方向は、第１平面（Ｘ−Ｙ平面）に沿っても良い。第２接続導電層５１Ｃｂは、例えば、第１導電層５０ａの少なくとも一部である。第２接続導電層５１Ｃｂは、例えば、第２導電層５０ｂの少なくとも一部でも良い。
【００８５】
図９（ａ）〜図９（ｃ）は、第２実施形態に係る半導体装置を例示する模式的断面図である。  
図９（ａ）は、図６（ａ）のＢ１−Ｂ２線断面に対応する断面図である。図９（ｂ）は、図６（ａ）のＤ１−Ｄ２線断面に対応する断面図である。図９（ｃ）は、図６（ａ）のＥ１−Ｅ２線断面に対応する断面図である。
【００８６】
図９（ａ）〜図９（ｃ）に示すように、この例においては、第１電極接続部５１Ｃは、第１接続導電層５１Ｃａを含む。この場合も、第１接続導電層５１Ｃａから第１中間導電層５１Ｍへの方向は、上記の第１平面（Ｘ−Ｙ平面）に沿う。図９（ｂ）に示すように、第１接続導電層５１Ｃａから第２中間導電層５２Ｍへの方向は、上記の第１平面（Ｘ−Ｙ平面）に沿う。第１接続導電層５１Ｃａ、第１中間導電層５１Ｍ及び第２中間導電層５２Ｍは、例えば、第３導電層５０ｃの少なくとも一部である。
【００８７】
図９（ｂ）及び図９（ｃ）に示すように、絶縁部材８０の一部８０ｐは、第３方向Ｄ３において、半導体層１０と第１接続導電層５１Ｃａとの間にある。
【００８８】
半導体装置１２１及び１２２においても、装置のサイズを小さく維持できる。電界の集中を抑制できる。例えば、ソースドレイン間の寄生容量を小さくできる。第１延在導電層５１Ｅにより、ゲート抵抗を低くできる。安定した動作が得られる。
【００８９】
半導体装置１２０〜１２２においても、半導体装置１１０ａ及び１１０ｂに関して説明した構成が適用されても良い。例えば、第２電極５２と電気的に接続された中間電極５１Ｎ（図３（ａ）及び図３（ｂ））が設けられても良い。第３方向Ｄ３における中間電極５１Ｎの位置は、第３方向Ｄ３における第１電極５１の位置と、第３方向Ｄ３における第１延在導電層５１Ｅの位置と、の間にある。第２方向Ｄ２における中間電極５１Ｎの位置は、第２方向Ｄ２における第１電極５１の位置と、第２方向Ｄ２における第３電極５３の位置と、の間にある。例えば、接続部５４ｖ（図３（ｂ）参照）が設けられても良い。接続部５４ｖは、中間電極５１Ｎを第４電極５４と電気的に接続する。
【００９０】
第２実施形態に係る半導体装置において、第１実施形態に関して説明した構成を適応しても良い。
【００９１】
図１０及び図１１は、実施形態に係る半導体装置を例示する模式的断面図である。  
これらの図は、図１（ａ）または図６（ａ）のＡ１−Ａ２線断面に対応する断面図である。
【００９２】
図１０に示すように、実施形態に係る半導体装置１３０においては、第１電極５１の一部（例えば、下端）から第１半導体領域１１への方向は、第２方向Ｄ２に沿う。例えば、第１電極５１は、トレンチ型のゲート電極である。これにより、例えばしきい値電圧を高くすることができる。例えば、ノーマリオフ動作が得られる。
【００９３】
この例では、中間絶縁膜８６が設けられている。中間絶縁膜８６は、絶縁膜８５と半導体層１０との間に設けられる。例えば、中間絶縁膜８６は、シリコン及び窒素を含む。絶縁膜８５は、例えば、シリコン及び酸素を含む。中間絶縁膜８６により、半導体層１０が保護される。安定した特性を得やすくなる。
【００９４】
図１１に示すように、半導体装置１３１は、半導体膜１３をさらに含んでも良い。第３半導体膜１３は、半導体層１０と第３電極５３との間に設けられる。半導体膜１３は、例えば、Ａｌｘ３Ｇａ１−ｘ３Ｎ（０≦ｘ３≦１）を含む。半導体膜１３は、例えば、Ｍｇ、Ｚｎ及びＣよりなる群から選択された少なくとも１つの第１元素をさらに含む。第１元素は、ｐ形不純物として機能する。半導体膜１３が設けられる場合、絶縁膜８５は、省略されても良い。
【００９５】
半導体装置１３０及び１３１に関して説明した構成が、第１実施形態または第２実施形態に係る半導体装置、及び、それらの変形の半導体装置に適用されても良い。
【００９６】
（第３実施形態）  
図１２（ａ）及び図１２（ｂ）は、第３実施形態に係る半導体装置を例示する模式的平面図である。  
図１３〜図２０は、第３実施形態に係る半導体装置を例示する模式的断面図である。  
図１２（ａ）及び図１２（ｂ）は、図１３の矢印ＡＢからみたときの平面図である。図１２（ｂ）は、後述する第１〜第３パッド６１〜６３を除去したときの平面図である。図１３は、図１２（ｂ）のＧ１−Ｇ２線断面図である。図１４は、図１２（ｂ）のＨ１−Ｈ２線断面図である。図１５は、図１２（ｂ）のＩ１−Ｉ２線断面図である。図１６は、図１２（ｂ）のＪ１−Ｊ２線断面図である。図１７は、図１２（ｂ）のＫ１−Ｋ２線断面図である。図１８は、図１２（ｂ）のＬ１−Ｌ２線断面図である。図１９は、図１２（ｂ）のＭ１−Ｍ２線断面図である。図２０は、図１２（ｂ）のＮ１−Ｎ２線断面図である。
【００９７】
図１２（ａ）及び図１２（ｂ）に示すように、実施形態に係る半導体装置１５０は、第１電極５１、第２電極５２、第３電極５３、半導体層１０及び第１パッド部６１を含む。この例では、半導体装置１５０は、第２パッド部６２及び第３パッド部６３をさらに含む。
【００９８】
図１４に示すように、半導体装置１５０は、第１接続部材７１及び第２接続部材７２をさらに含む。
【００９９】
図１２（ａ）及び図１２（ｂ）に示すように、第１電極５１、第２電極５２、第３電極５３及び第４電極５４は、第１方向Ｄ１に沿って延びる。第１方向Ｄ１は、例えば、Ｙ軸方向である。Ｙ軸方向に対して垂直な１つの方向をＸ軸方向とする。Ｘ軸方向及びＹ軸方向に対して垂直な方向をＺ軸方向とする。
【０１００】
第１方向Ｄ１と交差する１つの方向を第２方向Ｄ２とする。第１方向Ｄ１及び第２方向Ｄ２を含む平面と交差する１つの方向を第３方向Ｄ３とする。第２方向Ｄ２は、例えば、Ｘ軸方向である。第３方向Ｄ３は、例えば、Ｚ軸方向である。
【０１０１】
第１電極５１の第１方向Ｄ１に沿う長さは、第１電極５１の第２方向Ｄ２に沿う長さよりも長い。第１電極５１の第１方向Ｄ１に沿う長さは、第１電極５１の第３方向Ｄ３に沿う長さよりも長い。
【０１０２】
第２電極５２の第１方向Ｄ１に沿う長さは、第２電極５２の第２方向Ｄ２に沿う長さよりも長い。第２電極５２の第１方向Ｄ１に沿う長さは、第２電極５２の第３方向Ｄ３に沿う長さよりも長い。
【０１０３】
第３電極５３の第１方向Ｄ１に沿う長さは、第３電極５３の第２方向Ｄ２に沿う長さよりも長い。第３電極５３の第１方向Ｄ１に沿う長さは、第３電極５３の第３方向Ｄ３に沿う長さよりも長い。
【０１０４】
第４電極５４の第１方向Ｄ１に沿う長さは、第４電極５４の第２方向Ｄ２に沿う長さよりも長い。第４電極５４の第１方向Ｄ１に沿う長さは、第４電極５４の第３方向Ｄ３に沿う長さよりも長い。
【０１０５】
第２方向Ｄ２における第１電極５１の位置は、第２方向Ｄ２における第２電極５２の位置と、第２方向Ｄ２における第３電極５３の位置と、の間にある。
【０１０６】
第２方向Ｄ２における第４電極５４の位置は、第２方向Ｄ２における第１電極５１の位置と、第２方向Ｄ２における第３電極５３の位置と、の間にある。
【０１０７】
図１３に示すように、半導体層１０から第１電極５１への方向、半導体層１０から第２電極５２への方向、半導体層１０から第３電極５３への方向、及び、半導体層１０から第４電極５４への方向は、第３方向Ｄ３に沿う。
【０１０８】
半導体層１０は、例えば、第１半導体領域１１及び第２半導体領域１２を含む。第２半導体領域１２は、第１半導体領域１１と、第１電極５１との間にある。この例では、基板１５が設けられている。第１半導体領域１１は、基板１５と第２半導体領域１２との間にある。第１半導体領域１１は、例えば、Ａｌｘ１Ｇａ１−ｘ１Ｎ（０≦ｘ１＜１）を含む。第１半導体領域１１は、例えばＧａＮを含む。第２半導体領域１２は、例えば、Ａｌｘ２Ｇａ１−ｘ２Ｎ（０＜ｘ２≦１、ｘ１＜ｘ２））を含む。
【０１０９】
図１４に示すように、第１電極５１の第１電極部分ｅｐ１、第２電極５２の第２電極部分ｅｐ２、第３電極５３の第３電極部分ｅｐ３及び第４電極５４の第４電極部分ｅｐ４は、半導体層１０と第１パッド部６１との間にある。
【０１１０】
図１４に示すように、第１接続部材７１は、第１パッド部６１と第２電極５２との間に設けられる。第１接続部材７１は、第１パッド部６１を第２電極５２と電気的に接続する。この例では、第１接続部材７１は、第２延在導電層５２Ｅ及び第２中間導電層５２Ｍを介して、第２電極５２と電気的に接続される。
【０１１１】
第２接続部材７２は、第１パッド部６１と第４電極５４との間に設けられる。第２接続部材７２は、第１パッド部６１を第４電極５４と電気的に接続する。例えば、第２延在導電層５２Ｅから第４電極５４への方向は、第２方向Ｄ２に沿う。
【０１１２】
第１電極５１は、例えば、ゲート電極として、機能する。第２電極５２は、例えば、ソース電極として、機能する。第３電極５３は、例えば、ドレイン電極として、機能する。半導体装置１１０は、例えば、トランジスタである。
【０１１３】
第１パッド部６１により、第４電極５４は、第２電極５２と電気的に接続される。第４電極５４は、例えば、フィールドプレートとして機能する。フィールドプレートにより、電界の集中が抑制でき、より安定した動作が得られる。
【０１１４】
第１パッド部６１は、Ｚ軸方向において、第１〜第４電極５１〜５４と重なる。第１パッド部６１は、Ｚ軸方向において、半導体層１０の第１領域１０Ａと重なる（図１２（ｂ）参照）。第１領域１０Ａは、例えば、アクティブ領域である。第１パッド部６１は、例えば、ソース用パッド部として機能する。パッド部としての領域が省略できる。
【０１１５】
図１２（ｂ）及び図１６に示すように、第２パッド部６２と第３パッド部６３との間においては、パッド部が設けられていない。
【０１１６】
図１８に示すように、第１接続部材７１の第１方向Ｄ１に沿う長さを長さ７１ｙとする。図１４に示すように、第１接続部材７１の第２方向Ｄ２に沿う長さを長さ７１ｘとする。図１４及び図１８に示すように、第１接続部材７１の第３方向Ｄ３に沿う長さを長さ７１ｚとする。例えば、第１接続部材７１の第１方向Ｄ１に沿う長さ７１ｙは、第１接続部材７１の第２方向Ｄ２に沿う長さ７１ｘよりも長い。第１接続部材７１の第３方向Ｄ３に沿う長さ７１ｚは、第１接続部材７１の第２方向Ｄ２に沿う長さ７１ｘよりも長くても良い。
【０１１７】
図２０に示すように、第２接続部材７２の第１方向Ｄ１に沿う長さを長さ７２ｙとする。図１４に示すように、第２接続部材７２の第２方向Ｄ２に沿う長さを長さ７２ｘとする。図１４及び図２０に示すように、第２接続部材７２の第３方向Ｄ３に沿う長さを長さ７２ｚとする。例えば、第２接続部材７２の第１方向Ｄ１に沿う長さ７２ｙは、第２接続部材７２の第２方向Ｄ２に沿う長さ７２ｘよりも長い。第２接続部材７２の第３方向Ｄ３に沿う長さ７２ｚは、第２接続部材７２の第２方向Ｄ２に沿う長さ７２ｘよりも長くても良い。
【０１１８】
図１２（ａ）に示すように、第１パッド部６１の第２方向Ｄ２に沿う長さを長さ６１ｘとする。第１パッド部６１の第１方向Ｄ１に沿う長さを長さ６１ｙとする。図１４に示すように、第１パッド部６１の第３方向Ｄ３に沿う長さを長さ６１ｚとする。１つの例において、長さ６１ｘは、長さ６１ｙよりも長い。例えば、長さ６１ｚは、長さ６１ｘよりも短い。
【０１１９】
図１３に示すように、半導体装置１５０は、第２パッド部６２及び第３接続部材７３を含む。第１電極５１の第５電極部分ｅｐ５、第２電極５２の第６電極部分ｅｐ６、第３電極５３の第７電極部分ｅｐ７、及び、第４電極５４の第８電極部分ｅｐ８は、半導体層１０と第２パッド部６２との間にある。
【０１２０】
第３接続部材７３は、第２パッド部６２と第１電極５１との間に設けられる。第３接続部材６３は、第２パッド部６２を第１電極５１と電気的に接続する。この例では、この例では、第３接続部材７１は、第１延在導電層５１Ｅ及び第１中間導電層５１Ｍを介して、第１電極５１と電気的に接続される。
【０１２１】
第１中間導電層５１Ｍにより、第１延在導電層５１Ｅは、第１電極５１と電気的に接続される。この例では、接続導電部５１Ｅｖにより、第１延在導電層５１Ｅが第１中間導電層５１Ｍと電気的に接続される。この例では、接続導電部５１Ｍｖにより、第１中間導電層５１Ｍが第１電極５１と電気的に接続される。第１電極５１、接続導電部５１Ｍｖ、第１中間導電層５１Ｍ、接続導電部５１Ｅｖ及び第１延在導電層５１Ｅのそれぞれの間の境界は明確でも、不明確でも良い。これらの部分の少なくとも一部が、実質的に一体的でも良い。
【０１２２】
例えば、第１中間導電層５１Ｍは、第１端部５１Ｍａを含む。第１中間導電層５１Ｍは、第２端部５１Ｍｂを含んでも良い。第２端部５１Ｍｂから第１端部５１Ｍａへの方向は、第２方向Ｄ２に沿う。第２方向Ｄ２における第１端部５１Ｍａの位置は、第２方向Ｄ２における第１電極５１の位置と、第２方向Ｄ２における第３電極５３の位置と、の間にある。この例では、第２方向Ｄ２における第４電極５４の位置は、第２方向における第１端部５１Ｍａの位置と、第２方向Ｄ２における第３電極５３の位置と、の間にある。第４電極５４の少なくとも一部は、第３方向Ｄ３において、第１中間導電層５１Ｍと重なっていても良い。例えば、第４電極５４は、第３方向Ｄ３において、第１端部５１Ｍａと重なっていても良い。
【０１２３】
第２パッド部６２は、Ｚ軸方向において、第１〜第４電極５１〜５４と重なる。第２パッド部６２は、Ｚ軸方向において、半導体層１０の第１領域１０Ａと重なる（図１２（ｂ）参照）。第２パッド部６２は、例えば、ゲート用パッド部として機能する。パッド部としての領域が省略できる。
【０１２４】
図１２に示すように、第１パッド部６１から第２パッド部６２への方向は、第１方向Ｄ１に沿う。
【０１２５】
図１７に示すように、第３接続部材７３の第１方向Ｄ１に沿う長さを長さ７３ｙとする。図１３に示すように、第３接続部材７３の第２方向Ｄ２に沿う長さを長さ７３ｘとする。図１３及び図１７に示すように、第３接続部材７３の第３方向Ｄ３に沿う長さを長さ７３ｚとする。例えば、長さ７３ｙは、長さ７３ｘよりも長い。例えば、長さ７３ｚは、長さ７３ｘよりも長くても良い。
【０１２６】
図１２（ａ）に示すように、第２パッド部６２の第２方向Ｄ２に沿う長さを長さ６２ｘとする。第２パッド部６２の第１方向Ｄ１に沿う長さを長さ６２ｙとする。図１３及び図１７に示すように、第２パッド部６２の第３方向Ｄ３に沿う長さを長さ６２ｚとする。１つの例において、長さ６２ｘは、長さ６２ｙよりも長くても良い。例えば、長さ６２ｚは、長さ６２ｙよりも短い。
【０１２７】
図１５に示すように、半導体装置１５０は、第３パッド部６３及び第４接続部材７４を含む。第１電極５１の第９電極部分ｅｐ９、第２電極５２の第１０電極部分ｅｐ１０、第３電極５３の第１１電極部分ｅｐ１１、及び、第４電極５４の第１２極部分ｅｐ１２は、半導体層１０と第３パッド部６３との間にある。
【０１２８】
第４接続部材７４は、第３パッド部６３と第３電極５３との間に設けられる。第４接続部材７４は、第３パッド部６３を第３電極５３と電気的に接続する。この例では、第４接続部材７４は、第３延在導電層５３Ｅ及び第３中間導電層５３Ｍを介して、第３電極５３と電気的に接続される。
【０１２９】
第３パッド部６３は、Ｚ軸方向において、第１〜第４電極５１〜５４と重なる。第３パッド部６３は、Ｚ軸方向において、半導体層１０の第１領域１０Ａと重なる（図１２（ｂ）参照）。第３パッド部６３は、例えば、ドレイン用パッド部として機能する。パッド部としての領域が省略できる。例えば、第３パッド部６３と基板１５との間の寄生容量を小さくできる。例えば、スイッチング動作が安定する。
【０１３０】
図１２（ａ）に示すように、例えば、第１パッド部６１から第３パッド部６３への方向は、第１方向Ｄ１に沿う。例えば、第２パッド部６２は、第１方向Ｄ１において、第１パッド部６１と第３パッド部６３との間にある。
【０１３１】
図１９に示すように、第４接続部材７４の第１方向Ｄ１に沿う長さを長さ７４ｙとする。図１５に示すように、第４接続部材７４の第２方向Ｄ２に沿う長さを長さ７４ｘとする。図１５及び図１９に示すように、第４接続部材７４の第３方向Ｄ３に沿う長さを長さ７４ｚとする。例えば、長さ７４ｙは、長さ７４ｘよりも長い。例えば、長さ７４ｚは、長さ７４ｘよりも長い。
【０１３２】
図１２（ａ）に示すように、第３パッド部６３の第２方向Ｄ２に沿う長さを長さ６３ｘとする。第３パッド部６３の第１方向Ｄ１に沿う長さを長さ６３ｙとする。図１５及び図１９に示すように、第３パッド部６３の第３方向Ｄ３に沿う長さを長さ６３ｚとする。１つの例において、長さ６３ｘは、長さ６３ｙよりも長い。例えば、長さ６３ｚは、長さ６３ｙよりも短い。
【０１３３】
第３実施形態において、第１実施形態または第２実施形態に関して説明した構成が適用できる。例えば、半導体装置１５０は、絶縁部材８０を含む。半導体装置１５０は、例えば、第１〜第３絶縁層８１〜８３を含む。第３実施形態において、第３絶縁層８３は、樹脂を含んでも良い。樹脂は、例えば、ポリイミドを含む。半導体装置１０は、絶縁膜８５を含んでも良い。絶縁膜８５は、例えば、半導体層１０と第１電極５１との間に設けられる。半導体装置１５０は、例えば、第１〜第４導電層５０ａ〜５０ｄを含んでも良い。半導体装置１３０及び１３１に関して説明した構成が、第３実施形態に係る半導体装置及びその変形の半導体装置に適用されても良い。
【０１３４】
以下、半導体装置に含まれる材料の例について説明する。  
第１電極５１は、例えば、ＴｉＮ、ＷＮ、ＴａＮ、Ｎｉ、Ａｕ及びＰｔよりなる群から選択された少なくとも１つを含む。第２電極５２及び第３電極５３は、例えば、Ｔｉ、Ａｌ及びＴａよりなる群から選択された少なくとも１つを含む。第４電極５４、及び、第１〜第３延在導電層５１Ｅ〜５３Ｅは、例えば、Ａｌ、Ｃｕ、Ａｕ及びＡｇよりなる群から選択された少なくとも１つを含む。第１〜第３中間導電層５１Ｍ〜５３Ｍは、例えば、Ａｌ、Ｃｕ、Ａｕ及びＡｇよりなる群から選択された少なくとも１つを含む。
【０１３５】
第１絶縁層８１、第２絶縁層８２及び第３絶縁層８３の少なくともいずれかは、例えば、酸化シリコン、窒化シリコン、酸窒化シリコン、及び、酸化アルミニウムからなる群から選択された少なくとも１つを含む。第３絶縁層８３は、例えば、ポリイミドを含んでも良い。絶縁膜８５は、例えば、酸化シリコンを含む。
【０１３６】
実施形態は、以下の構成（例えば、技術案）を含む。  
（構成１）  
第１方向に沿って延びる第１電極と、
前記第１方向に沿って延びる第２電極と、
前記第１方向に沿って延びる第３電極であって、前記第１方向と交差する第２方向における前記第１電極の位置は、前記第２方向における前記第２電極の位置と、前記第２方向における前記第３電極の位置と、の間にある、前記第３電極と、
前記第１方向に沿って延びる第４電極であって、前記第２方向における前記第４電極の位置は、前記第２方向における前記第１電極の前記位置と、前記第２方向における前記第３電極の前記位置と、の間にある、前記第４電極と、
半導体層であって、前記半導体層から前記第１電極への方向、前記半導体層から前記第２電極への方向、前記半導体層から前記第３電極への方向、及び、前記半導体層から前記第４電極への方向は、前記第１方向及び前記第２方向を含む第１平面と交差する第３方向に沿う、前記半導体層と、
第１パッド部であって、前記第１電極の第１電極部分、前記第２電極の第２電極部分、前記第３電極の第３電極部分及び前記第４電極の第４電極部分は、前記半導体層と前記第１パッド部との間にある、前記第１パッド部と、
前記第１パッド部と前記第２電極との間に設けられ、前記第１パッド部を前記第２電極と電気的に接続する第１接続部材と、
前記第１パッド部と前記第４電極との間に設けられ、前記第１パッド部を前記第４電極と電気的に接続する第２接続部材と、
を備えた、半導体装置。
【０１３７】
（構成２）  
前記第１接続部材の前記第１方向に沿う長さは、前記第１接続部材の前記第２方向に沿う長さよりも長い、構成１記載の半導体装置。
【０１３８】
（構成３）  
前記第１接続部材の前記第３方向に沿う長さは、前記第１接続部材の前記第２方向に沿う前記長さよりも長い、構成２記載の半導体装置。
【０１３９】
（構成４）  
前記第２接続部材の前記第１方向に沿う長さは、前記第２接続部材の前記第２方向に沿う長さよりも長い、構成１〜３のいずれか１つに記載の半導体装置。
【０１４０】
（構成５）  
前記第２接続部材の前記第３方向に沿う長さは、前記第２接続部材の前記第２方向に沿う前記長さよりも長い、構成４記載の半導体装置。
【０１４１】
（構成６）  
前記第１パッド部の前記第２方向に沿う長さは、前記第１パッド部の前記第１方向に沿う長さよりも長い、構成１〜５のいずれか１つに記載の半導体装置。
【０１４２】
（構成７）  
前記第１パッド部の前記第３方向に沿う長さは、前記第１パッド部の前記第１方向に沿う前記長さよりも短い、構成６記載の半導体装置。
【０１４３】
（構成８）  
第２パッド部と、
第３接続部材と、
をさらに備え、
前記第１電極の第５電極部分、前記第２電極の第６電極部分、前記第３電極の第７電極部分及び前記第４電極の第８電極部分は、前記半導体層と前記第２パッド部との間にあり、
前記第３接続部材は、前記第２パッド部と前記第１電極との間に設けられ、前記第２パッド部を前記第１電極と電気的に接続する、構成１〜４のいずれか１つに記載の半導体装置。
【０１４４】
（構成９）  
前記第１パッド部から前記第２パッド部への方向は、前記第１方向に沿う、構成８記載の半導体装置。
【０１４５】
（構成１０）  
前記第３接続部材の前記第１方向に沿う長さは、前記第３接続部材の前記第２方向に沿う長さよりも長い、構成８または９に記載の半導体装置。
【０１４６】
（構成１１）  
前記第３接続部材の前記第３方向に沿う長さは、前記第３接続部材の前記第２方向に沿う前記長さよりも長い、構成１０記載の半導体装置。
【０１４７】
（構成１２）  
前記第２パッド部の前記第２方向に沿う長さは、前記第２パッド部の前記第１方向に沿う長さよりも長い、構成８〜１１のいずれか１つに記載の半導体装置。
【０１４８】
（構成１３）  
前記第２パッド部の前記第３方向に沿う長さは、前記第２パッド部の前記第１方向に沿う前記長さよりも短い、構成１２記載の半導体装置。
【０１４９】
（構成１４）  
第３パッド部と、
第４接続部材と、
をさらに備え、
前記第１電極の第９電極部分、前記第２電極の第１０電極部分、前記第３電極の第１１電極部分及び前記第４電極の第１２極部分は、前記半導体層と前記第３パッド部との間にあり、
前記第４接続部材は、前記第３パッド部と前記第３電極との間に設けられ、前記第３パッド部を前記第３電極と電気的に接続する、構成１〜１３のいずれか１つに記載の半導体装置。
【０１５０】
（構成１５）  
前記第１パッド部から前記第３パッド部への方向は、前記第１方向に沿う、構成１４記載の半導体装置。
【０１５１】
（構成１６）  
前記第２パッド部は、前記第１方向において、前記第１パッド部と前記第３パッド部との間にある、構成１４または１５に記載の半導体装置。
【０１５２】
（構成１７）  
前記第４接続部材の前記第１方向に沿う長さは、前記第４接続部材の前記第２方向に沿う長さよりも長い、構成１４〜１６のいずれか１つに記載の半導体装置。
（構成１８）  
前記第４接続部材の前記第３方向に沿う長さは、前記第４接続部材の前記第２方向に沿う前記長さよりも長い、構成１７記載の半導体装置。
【０１５３】
（構成１９）  
前記第３パッド部の前記第２方向に沿う長さは、前記第３パッド部の前記第１方向に沿う長さよりも長い、構成１４〜１８のいずれか１つに記載の半導体装置。
【０１５４】
（構成２０）  
前記第３パッド部の前記第３方向に沿う長さは、前記第３パッド部の前記第１方向に沿う前記長さよりも短い、構成１９記載の半導体装置。
【０１５５】
実施形態によれば、安定した動作が得られる半導体装置が提供できる。
【０１５６】
本願明細書において、「垂直」及び「平行」は、厳密な垂直及び厳密な平行だけではなく、例えば製造工程におけるばらつきなどを含むものであり、実質的に垂直及び実質的に平行であれば良い。
【０１５７】
以上、具体例を参照しつつ、本発明の実施の形態について説明した。しかし、本発明は、これらの具体例に限定されるものではない。例えば、半導体装置に含まれる半導体層、電極、導電層、絶縁層、絶縁部材及び基板などの各要素の具体的な構成に関しては、当業者が公知の範囲から適宜選択することにより本発明を同様に実施し、同様の効果を得ることができる限り、本発明の範囲に包含される。
【０１５８】
また、各具体例のいずれか２つ以上の要素を技術的に可能な範囲で組み合わせたものも、本発明の要旨を包含する限り本発明の範囲に含まれる。
【０１５９】
その他、本発明の実施の形態として上述した半導体装置を基にして、当業者が適宜設計変更して実施し得る全ての半導体装置も、本発明の要旨を包含する限り、本発明の範囲に属する。
【０１６０】
その他、本発明の思想の範疇において、当業者であれば、各種の変更例及び修正例に想到し得るものであり、それら変更例及び修正例についても本発明の範囲に属するものと解される。
【０１６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１６２】
１０…半導体層、  １０Ａ〜１０Ｃ…第１〜第３領域、  １１、１２…第１、第２半導体領域、  １３…半導体膜、  １５…基板、  ５０ａ〜５０ｄ…第１〜第４導電層、  ５１〜５４…第１〜第４電極、  ５１Ｃ〜５３Ｃ…第１〜第３電極接続部、  ５１Ｃａ、５１Ｃｂ…第１、第２接続導電層、  ５１Ｅ〜５３Ｅ…第１〜第３延在導電層、  ５１Ｅｖ…接続導電部、  ５１Ｍ〜５３Ｍ…第１〜第３中間導電層、  ５１Ｍａ…第１端部、  ５１Ｍｂ…第２端部、  ５１Ｍｖ…接続導電部、  ５１Ｎ…中間電極、  ５１ｅ〜５４ｅ…端部、  ５１ｐ…一部、  ５２Ｅｐ…一部、  ５４ｐ…一部、  ５４ｖ…接続部、  ６１〜６３…第１〜第３パッド部、  ７１〜７３…第１〜第４接続部材、  ８０…絶縁部材、  ８０ａ〜８０ｆ…第１〜第６絶縁部分、  ８０ｐ…一部、  ８１〜８３…第１〜第３絶縁層、  ８５…絶縁膜、  ８６…中間絶縁膜、  １１０、１１０ａ、１１０ｂ、１１１、１１２、１２０、１２１、１２２、１３０、１３１、１５０…半導体装置、  ＡＡ…矢印、  Ｄ１〜Ｄ３…第１〜第３方向、  ｅｐ１〜ｅｐ１２…第１〜第１２接続部材
【図１】
2020177942.tif 000003
【図２】
2020177942.tif 000004
【図３】
2020177942.tif 000005
【図４】
2020177942.tif 000006
【図５】
2020177942.tif 000007
【図６】
2020177942.tif 000008
【図７】
2020177942.tif 000009
【図８】
2020177942.tif 000010
【図９】
2020177942.tif 000011
【図１０】
2020177942.tif 000012
【図１１】
2020177942.tif 000013
【図１２】
2020177942.tif 000014
【図１３】
2020177942.tif 000015
【図１４】
2020177942.tif 000016
【図１５】
2020177942.tif 000017
【図１６】
2020177942.tif 000018
【図１７】
2020177942.tif 000019
【図１８】
2020177942.tif 000020
【図１９】
2020177942.tif 000021
【図２０】
2020177942.tif 000022